(57)【要約】【課題】プレゼンテーションを行う表示機器がデータ作成時に用いた表示機器と異なる場合、作成したデータが作成時に想定していた色と異なる色で表示される可能性がある。【解決手段】色見本データを作成表示機器エミュレート手段１０１及び実行表示機器エミュレート手段１０２の夫々に入力し、夫々の表示機器での色再現をエミュレートし、その結果を色再現性差分検出手段１０３で比較し出力する。これによりデータ作成者は、機器の違いによる色の変化を予め把握した上でデータ作成に用いる色を選定できる。【選択図】　図１
2004139496.tif 000002
【特許請求の範囲】
【請求項１】
色見本データと作成表示機器特性データを入力し、作成表示機器による表示をエミュレートして作成表示機器色見本データを出力する作成表示機器エミュレート手段と、
前記色見本データと実行表示機器特性データを入力し、実行表示機器による表示をエミュレートして実行表示機器色見本データを出力する実行表示機器エミュレート手段と、
前記作成表示機器色見本データと前記実行表示機器色見本データを入力し、色度差を算出して色度差情報を出力する色再現性差分検出手段とを有することを特徴とする画像データ配色支援装置。
【請求項２】
作成画像データと作成表示機器特性データを入力し、作成表示機器による表示をエミュレートして作成表示機器色エミュレートデータを出力する作成表示機器エミュレート手段と、
前記作成画像データと実行表示機器特性データを入力し、実行表示機器による表示をエミュレートして実行表示機器色エミュレートデータを出力する実行表示機器エミュレート手段と、
前記作成表示機器色エミュレートデータと前記実行表示機器色エミュレートデータを入力し、両者に同じ領域分割を行って分割領域毎に色度差を算出し、分割領域位置情報と色度差情報を含む使用色判定情報を出力する使用色判定手段とを有することを特徴とする画像データ配色支援装置。
【請求項３】
作成画像データと実行表示機器特性データを入力し、実行表示機器による表示をエミュレートして実行表示機器色エミュレートデータを出力する実行表示機器エミュレート手段と、
前記実行表示機器色エミュレートデータと配色チェックルールを入力し、配色チェック情報を出力する配色チェック手段とを有することを特徴とする画像データ配色支援装置。
【請求項４】
前記配色チェック手段は、
前記実行表示機器エミュレートデータに領域分割を行って、隣接する２つの分割領域の色情報を抽出し、
前記２つの分割領域の色情報から明度差を算出し、前記明度差が所定値以上の場合に分割領域位置情報と配色有効情報とを有する使用色判定情報を出力し、
前記算出した色度差が所定値未満であって、かつ前記２つの分割領域の色情報から色相差を算出して前記色相差が所定値以下であって、かつ前記色相差が補色の色相差未満の場合に分割領域位置情報とハレーション予測情報とを有する使用色判定情報を出力し、
前記算出した色度差が所定値未満であって、かつ前記算出した色相差が所定値未満または補色の色相差以上の場合に分割領域位置情報と識別困難情報とを有する使用色判定情報を出力することを特徴とする請求項３記載の画像データ配色支援装置。
【請求項５】
実行表示機器特性データを複数格納し、外部から入力される対象機器指定情報に基づいて実行表示機器特性データを選択して前記実行表示機器エミュレート手段へ出力する機器表示データ格納手段を有することを特徴とする請求項１乃至請求項４いずれかに記載の画像データ配色支援装置。
【請求項６】
色見本データと作成表示機器特性データを入力し、作成表示機器による表示をエミュレートして作成表示機器色見本データを出力する作成表示機器エミュレートステップと、
前記色見本データと実行表示機器特性データを入力し、実行表示機器による表示をエミュレートして実行表示機器色見本データを出力する実行表示機器エミュレートステップと、
前記作成表示機器色見本データと前記実行表示機器色見本データを入力し、色度差を算出して色度差情報を出力する色再現性差分検出ステップとを有することを特徴とする画像データ配色支援方法。
【請求項７】
請求項６記載の画像データ配色支援方法の各ステップをコンピュータに実行させるための画像データ配色支援プログラム。
【発明の詳細な説明】
【０００１】
【発明の属する技術分野】
本発明は、プレゼンテーション等で使用する画像データを作成する際、その配色を支援することを目的とした画像データ配色支援装置に関するものである。
【０００２】
【従来の技術】
一般に、プレゼンテーション等で使用する画像データを作成する際に使用する表示機器と、実際にプレゼンテーションを行う表示機器とが異なる場合が多い。しかしながら、これら異なる２つの表示機器の画面は、色再現範囲が異なるため、実際にプレゼンテーションを行う際のデータの配色は、作成者が当初意図していた配色と異なる場合がある。これが結果的に見にくい配色となってしまうことがある。特に作成者が色彩に関する知識を有していない場合、このような傾向が強い。
【０００３】
一般に画像データを表示する際、表示機器の違いによる見え方の違いを改善する手法は種々考案されている。またプレゼンテーション等で使用する画像データの作成時に、配色の支援を行うための手法も考案されている（例えば、特許文献１参照）。
【０００４】
【特許文献１】
特開平８−２４９４４１号公報
【０００５】
【発明が解決しようとする課題】
しかしながら、上記のような配色支援の手法では、データを作成するシステムに付属する表示機器上での支援しか考慮されておらず、実際にプレゼンテーションを行う表示機器で見え方が配色支援の手法を用いて作成した結果と異なってしまう場合があるという課題を有していた。
【０００６】
本発明は上記のような課題を解決するもので、プレゼンテーション等で使用するデータを作成する際、プレゼンテーション等を実際に行う表示機器での色再現性をエミュレートし、エミュレータした表示上で配色を支援することができる画像データ配色支援装置、画像データ配色支援方法、および画像データ配色支援プログラムを提供することを目的とする。
【０００７】
【課題を解決するための手段】
前記従来課題を解決するために、本発明は以下の構成をとる。
【０００８】
請求項１記載の発明は、色見本データと作成表示機器特性データを入力し、作成表示機器による表示をエミュレートして作成表示機器色見本データを出力する作成表示機器エミュレート手段と、前記色見本データと実行表示機器特性データを入力し、実行表示機器による表示をエミュレートして実行表示機器色見本データを出力する実行表示機器エミュレート手段と、前記作成表示機器色見本データと前記実行表示機器色見本データを入力し、色度差を算出して色度差情報を出力する色再現性差分検出手段とを有することを特徴とする画像データ配色支援装置である。
【０００９】
請求項２記載の発明は、作成画像データと作成表示機器特性データを入力し、作成表示機器による表示をエミュレートして作成表示機器色エミュレートデータを出力する作成表示機器エミュレート手段と、前記作成画像データと実行表示機器特性データを入力し、実行表示機器による表示をエミュレートして実行表示機器色エミュレートデータを出力する実行表示機器エミュレート手段と、前記作成表示機器色エミュレートデータと前記実行表示機器色エミュレートデータを入力し、両者に同じ領域分割を行って分割領域毎に色度差を算出し、分割領域位置情報と色度差情報を含む使用色判定情報を出力する使用色判定手段とを有することを特徴とする画像データ配色支援装置である。
【００１０】
請求項３記載の発明は、作成画像データと実行表示機器特性データを入力し、実行表示機器による表示をエミュレートして実行表示機器色エミュレートデータを出力する実行表示機器エミュレート手段と、前記実行表示機器色エミュレートデータと配色チェックルールを入力し、配色チェック情報を出力する配色チェック手段とを有することを特徴とする画像データ配色支援装置である。
【００１１】
請求項４記載の発明は、前記配色チェック手段は、前記実行表示機器エミュレートデータに領域分割を行って、隣接する２つの分割領域の色情報を抽出し、前記２つの分割領域の色情報から明度差を算出し、前記明度差が所定値以上の場合に分割領域位置情報と配色有効情報とを有する使用色判定情報を出力し、前記算出した色度差が所定値未満であって、かつ前記２つの分割領域の色情報から色相差を算出して前記色相差が所定値以下であって、かつ前記色相差が補色の色相差未満の場合に分割領域位置情報とハレーション予測情報とを有する使用色判定情報を出力し、前記算出した色度差が所定値未満であって、かつ前記算出した色相差が所定値未満または補色の色相差以上の場合に分割領域位置情報と識別困難情報とを有する使用色判定情報を出力することを特徴とする請求項３記載の画像データ配色支援装置である。
【００１２】
請求項５記載の発明は、実行表示機器特性データを複数格納し、外部から入力される対象機器指定情報に基づいて実行表示機器特性データを選択して前記実行表示機器エミュレート手段へ出力する機器表示データ格納手段を有することを特徴とする請求項１乃至請求項４いずれかに記載の画像データ配色支援装置である。
【００１３】
請求項６記載の発明は、色見本データと作成表示機器特性データを入力し、作成表示機器による表示をエミュレートして作成表示機器色見本データを出力する作成表示機器エミュレートステップと、前記色見本データと実行表示機器特性データを入力し、実行表示機器による表示をエミュレートして実行表示機器色見本データを出力する実行表示機器エミュレートステップと、前記作成表示機器色見本データと前記実行表示機器色見本データを入力し、色度差を算出して色度差情報を出力する色再現性差分検出ステップとを有することを特徴とする画像データ配色支援方法である。
【００１４】
請求項７記載の発明は、請求項６記載の画像データ配色支援方法の各ステップをコンピュータに実行させるための画像データ配色支援プログラムである。
【００１５】
【発明の実施の形態】
本発明の各実施の形態における画像データ配色支援装置について、図面を参照しながら説明する。本発明ではプレゼンテーションのデータを作成し実行する際に一般的に想定されるように、画像データを作成する際に使用する表示機器とプレゼンテーションを行う表示機器とが異なることを前提とする。以下画像データを作成する際に使用する表示機器を作成表示機器と称し、画像データをプレゼンテーション等で実際に表示する表示機器を実行表示機器と称する。
【００１６】
（実施の形態１）
図１は本発明の実施の形態１の画像データ配色支援装置の構成を示すブロック図である。この画像データ配色支援装置において、１０１は作成表示機器エミュレート手段、１０２は実行表示機器エミュレート手段、１０３は色再現性差分検出手段である。
【００１７】
以上のように構成された画像データ配色支援装置の動作を以下に説明する。
【００１８】
作成表示機器エミュレート手段１０１は、色見本データに対して、作成表示機器特性データに応じて信号処理を行い作成表示機器での色再現性をエミュレートし、その結果を作成表示機器色見本データとして出力する。この作成表示機器とはプレゼンテーション等の画像データを作成する際に使用する表示機器である。また作成表示機器特性データはこの作成表示機器の色再現性を示すデータである。本実施の形態ではＲＧＢ３色及び白色の色度点情報をこの作成表示機器特性データとする。しかしながら作成表示機器特性データは色再現性を表すものであれば良く、特に限定する必要はない。
【００１９】
実行表示機器エミュレート手段１０２は、作成表示機器エミュレート手段１０１と同様に色見本データに対して、実行表示機器特性データに応じて信号処理を行い実行表示機器での色再現性をエミュレートし実行表示機器色見本データとして出力する。この実行表示機器とは画像データをプレゼンテーション等で表示する際に使用する表示機器である。また実行表示機器特性データはこの実行表示機器の色再現性を示すデータである。本実施の形態ではＲＧＢ３色及び白色の色度点情報をこの作成表示機器特性データとする。しかしながら作成表示機器特性データは色再現性を表すものであれば良く、特に限定する必要はない。
【００２０】
色見本データは、複数の色を表現したカラーパレットである。色数や形状については特に制限する必要はなく、実用上の便宜を考慮し定めればよい。一般的に良く用いられているマクベス社のカラーチェッカーやその他色票を色見本データとして用いても良い。
【００２１】
色再現性差分検出手段１０３は、作成表示機器色見本データと実行表示機器色見本データの各色の色度を比較し、各色毎の色度差を色度差情報として出力する。
【００２２】
このように本実施の形態１によれば、色見本データを作成表示機器及び実行表示機器の各々で表示した場合の色再現性をエミュレートし、かつそれらを比較することができる。よって画像データ作成者は、色見本データにて表現される特定の色を異なる表示機器で表示した場合に生じる色の変化を予め知ることができる。
【００２３】
即ち画像データの作成者は、作成表示機器と実行表示機器の間で、変化の大きい色を避けて配色することができるため、画像データを作成した表示機器と異なる表示機器でプレゼンテーション等を行う際、表示機器の違いに依存する色の違いを少なくすることができる。
【００２４】
（実施の形態２）
図２は本発明の実施の形態２の画像データ配色支援装置の構成を示すブロック図である。この画像データ配色支援装置において、１０１は作成表示機器エミュレート手段、１０２は実行表示機器エミュレート手段、２０１は使用色判定手段である。
【００２５】
本実施の形態での作成表示機器エミュレート手段１０１及び実行表示機器エミュレート手段１０２は実施の形態１と同様の構成である。
【００２６】
以上のように構成された画像データ配色支援装置の動作を以下に説明する。
【００２７】
作成表示機器エミュレート手段１０１、実行表示機器エミュレート手段１０２の動作は、実施の形態１と同じなので説明を省略する。実施の形態１と異なる点としては、実施の形態１では作成表示機器エミュレート手段１０１及び実行表示機器エミュレート手段１０２への入力が色見本データであったのに対して、本実施の形態では、入力は作成画像データである。
【００２８】
使用色判定手段２０１は、まず初めに入力画像データである作成表示機器エミュレートデータと実行表示機器エミュレートデータの夫々に対してエッジ検出による分割を行い分割された各領域をコンポーネントとする。作成表示機器エミュレートデータ及び実行表示機器エミュレートデータから夫々分割したコンポーネント色の色度差を求め、各コンポーネント毎の色度差を使用色判定情報として出力する。
【００２９】
このように本実施の形態２によれば、作成画像データを作成表示機器で表示した場合と実行表示機器で表示した場合の各々の表示をエミュレートしかつそれらを比較することができ、作成画像データで使用する色が表示機器によってどのように変化するかを予め知ることができる。
【００３０】
よって作成画像データで使用している色の中で作成表示機器で表示した場合と実行表示機器で表示した場合の色の違いが大きい部分を確認し、必要に応じて作成画像データの色の修正を行うことができる。
【００３１】
なお、本実施の形態では、使用色判定手段においてエミュレートデータの各々に対して領域分割を行ったが、領域分割を使用色判定手段では無く作成画像データ入力と両エミュレート手段の入力の間に一つ挿入しても同様の効果を奏する。
【００３２】
なお、本実施の形態では、領域分割を行って分割領域毎にデータの比較を行ったが、特に領域分割を行わずに予め所定の一つ又は複数の位置を定め、その位置についてのデータ比較を行う形態もある。このことにより、本実施の形態のような領域分割を行ったデータによる綿密な比較を行うことは出来ないが、エッジ検出等の複雑な処理が不要であるために装置の構成が容易になる。もちろん、このような形態でも位置指定は使用色判定手段にあっても良いし、作成画像データ入力と両エミュレート手段の入力の間に一つ挿入しても良い。
【００３３】
（実施の形態３）
図３は本発明の実施の形態３の画像データ配色支援装置の構成を示すブロック図である。この画像データ配色支援装置において、１０２は実行表示機器エミュレート手段、３０１は配色チェック手段である。
【００３４】
本実施の形態での実行表示機器エミュレート手段１０２は実施の形態１と同様の構成である。
【００３５】
以上のように構成された画像データ配色支援装置の動作を以下に説明する。
【００３６】
実行表示機器エミュレート手段１０２の動作は、実施の形態１と同じなので説明を省略する。実施の形態１と異なる点としては、実施の形態１では実行表示機器エミュレート手段１０２への入力が色見本データであったのに対して、本実施の形態では、入力は作成画像データである。
【００３７】
配色チェック手段３０１は、実行表示機器エミュレートデータの配色を内蔵する配色ルールに基づきチェックする。配色ルールは主観評価に基づく配色の視認性の善し悪しを評価するためのルールである。以下配色ルールとその評価の例を示す。
【００３８】
配色チェック手段３０１は、入力画像データである実行表示機器エミュレートデータに対してエッジ検出による分割を行い、分割された各領域をコンポーネントとする。この各コンポーネントに対して夫々配色のチェックを行う。各コンポーネントに対する配色チェックの手順を図４に示すフローチャートに基づき説明する。
【００３９】
初めに図４のステップＳ１００１において、コンポーネント自身の色とそのコンポーネントに隣接するコンポーネントの色を抽出し、ステップＳ１００２に遷移する。ステップＳ１００２において、ステップＳ１００１で抽出した２つの色の明度差が明度差を判定する所定値以上の場合には、ステップＳ１００３へ遷移し、明度差が明度差を判定する所定値以下の場合には、ステップＳ１００４に遷移する。ステップＳ１００３では、使用色判定情報として対象となるコンポーネントの位置情報と領域の配色に問題がない旨（配色有効情報）を示すフラグを一組として出力し処理を終了する。
【００４０】
ステップＳ１００４では、ステップＳ１００１で抽出した２つの色の色相差が色相差を判定する所定値以上かつ補色の色相差以下の場合にはステップＳ１００５に遷移し、２つの色の色相差が色相差を判定する所定値以下の場合にはステップＳ１００６に遷移する。ステップＳ１００５では使用色判定情報として対象となるコンポーネントの位置情報と領域の配色により境界にハレーションが生じる可能性ある旨（ハレーション予測情報）を示すフラグを一組として出力し処理を終了する。ステップＳ１００６では使用色判定情報として対象となるコンポーネントの位置情報と領域の配色により識別が困難な可能性ある旨（識別困難情報）を示すフラグを出力し処理を終了する。
【００４１】
以上が本実施の形態での配色ルールの一例である。但し、配色ルールは主観評価に基づく配色の視認性の善し悪しを判断できるものであれば特に限定する必要はない。
【００４２】
このように本実施の形態３によれば、作成画像データを実行表示機器で表示した場合のエミュレートした画像に対して、配色チェックを行うことができる。
【００４３】
（実施の形態４）
図５は本発明の実施の形態４の画像データ配色支援装置の構成を示すブロック図である。この画像データ配色支援装置において、１０１は作成表示機器エミュレート手段、１０２は実行表示機器エミュレート手段、１０３は色再現性差分検出手段、４０１は機器表示特性データ格納手段である。
【００４４】
本実施の形態での作成表示機器エミュレート手段１０１、実行表示機器エミュレート手段１０２、色再現性差分検出手段１０３は実施の形態１と同様の構成である。
【００４５】
以上のように構成された画像データ配色支援装置の動作を以下に説明する。
【００４６】
作成表示機器エミュレート手段１０１、実行表示機器エミュレート手段１０２、色再現性差分検出手段１０３の動作は、実施の形態１と同じなので説明を省略する。
【００４７】
機器表示特性データ格納手段４０１は、実行表示機器として想定される複数の典型的な表示機器の表示特性データを保持している。典型的な表示機器とは、プレゼンテーション等を行う際に使用する表示機器であり、例えば液晶モニタ、ノートＰＣ、プロジェクタ等である。対象機器指定情報で内部に保持しているこれら複数の表示特性のうちの１つを指定し、指定特性データとして出力する。
【００４８】
即ち、データ作成者は対象機器指定情報を通じて内部に保持している表示機器の特性の中から実際にプレゼンテーションを行う表示機器により近い表示特性を有するものもしくは類似した方式の表示機器を選択することができる。
【００４９】
実行表示機器エミュレート手段１０２は、作成画像データに対して指定特性データに応じた信号処理を行い実行表示機器での色再現性をエミュレートし作成表示機器色見本データとして出力する。
【００５０】
このように本実施の形態４によれば、プレゼンテーションを行う表示機器の表示特性を入手できない場合であっても、プレゼンテーションの際に使うことが予測される典型的な表示機器の特性を代用することで、実施の形態２と同等の効果を得ることができる。
【００５１】
（実施の形態５）
図６は本発明の実施の形態５の画像データ配色支援装置の構成を示すブロック図である。この画像データ配色支援装置において、１０２は実行表示機器エミュレート手段、３０１は配色チェック手段、４０１は機器表示特性データ格納手段である。
【００５２】
本実施の形態での実行表示機器エミュレート手段１０２、配色チェック手段３０１は実施の形態３と同様の構成である。
【００５３】
以上のように構成された画像データ配色支援装置の動作を以下に説明する。
【００５４】
実行表示機器エミュレート手段１０２、配色チェック手段３０１の動作は、実施の形態３と同じなので説明を省略する。
【００５５】
機器表示特性データ格納手段４０１の動作も実施の形態４と同じである。実行表示機器として想定される複数の典型的な表示機器の表示特性データを保持している。典型的な表示機器とは、プレゼンテーション等を行う際に使用する表示機器であり、例えば液晶モニタ、ノートＰＣ、プロジェクタ等である。対象機器指定情報で内部に保持しているこれら複数の表示特性のうちの１つを指定し、指定特性データとして出力する。
【００５６】
実行表示機器エミュレート手段１０２は、作成画像データに対して指定特性データに応じた信号処理を行い実行表示機器での色再現性をエミュレートし実行表示機器エミュレートデータとして出力する。
【００５７】
このように本実施の形態５によれば、プレゼンテーションを行う表示機器の表示特性を入手できない場合であっても、プレゼンテーションの際に使うことが予測される典型的な表示機器の特性を代用することで、実施の形態３と同等の効果を得ることができる。
【００５８】
なお、上記の実施の形態夫々において、表示機器の表示特性データとして、色再現性を表現するデータを用いたがこれに加え輝度及びガンマ特性等の表示機器の特性を考慮することでより正確なエミュレートが可能となる。
【００５９】
なお、実行表示機器エミュレート手段でエミュレートする表示機器は、モノクロであっても、プリンタ等の出力デバイスであってもよい。
【００６０】
なお、上記の実施の形態各々については、画像データ配色支援装置について説明したが、特にハードウエアによる実現が必要なものではなく、各々の手段をプログラムの各ステップとしてソフトウエアにより実現してコンピュータ等で実施しても同様の効果を奏する。また、そのようなソフトウエアを媒体に保存したりネットワーク上で配布することにより、これらの機能実現が更に容易になる。
【００６１】
【発明の効果】
以上のように本発明の画像データ配色支援装置によれば、プレゼンテーションの画像データを作成する際に、プレゼンテーションを実際に行うと想定される表示機器の表示特性をエミュレートしかつそのエミュレート画像に対して配色チェックを行うことができる。即ち、配色及びプレゼンテーションデータの作成に不慣れなデータ作成者に対して、表示機器による色再現の違いを考慮した上で配色の支援を行う画像データ配色支援装置、画像データ配色支援方法、および画像データ配色支援プログラムを提供することができる。
【図面の簡単な説明】
【図１】本発明の実施の形態１における画像データ配色支援装置の構成を示すブロック図
【図２】本発明の実施の形態２における画像データ配色支援装置の構成を示すブロック図
【図３】本発明の実施の形態３における画像データ配色支援装置の構成を示すブロック図
【図４】本発明の実施の形態３における配色チェックの手順を示すフローチャート
【図５】本発明の実施の形態４における画像データ配色支援装置の構成を示すブロック図
【図６】本発明の実施の形態５における画像データ配色支援装置の構成を示すブロック図
【符号の説明】
１０１　作成表示機器エミュレート手段
１０２　実行表示機器エミュレート手段
１０３　色再現性差分検出手段
２０１　使用色判定手段
３０１　配色チェック手段
４０１　機器表示特性データ格納手段
【図１】
2004139496.tif 000003
【図２】
2004139496.tif 000004
【図３】
2004139496.tif 000005
【図４】
2004139496.tif 000006
【図５】
2004139496.tif 000007
【図６】
2004139496.tif 000008